(57)【特許請求の範囲】
【請求項１】
足指の付け根付近の窪みに入り込んで足裏が前後方向に係合する係合部を緩衝底の上面側に足指の前記窪みに沿うように形成し、
足指が他の部分よりも下方に沈み込むのを許容する足指受入部を、前記緩衝底の上面における前記係合部の前方に形成し、
趾節関節における足指の屈曲に伴い前記係合部またはその近傍において前記緩衝底が屈曲し易いようにする屈曲補助部を前記係合部の裏側に設けた靴底であって、
前記係合部は、足指の付け根付近の窪みに対応する上方に突出した横長の突条部で形成され、
前記足指受入部は足指を載せるための凹所で形成され、該凹所が前記緩衝底の上面側における前記突条部の前方の位置に設けられており、
前記突条部は、足の内外の中央付近において、最も前方に向って凸となる形状の曲線に沿って略「へ」字形状に形成されており、
前記突条部は、前記曲線に沿った稜線を有すると共に、前記稜線に沿って足の内外の中央付近で最も高く、かつ、足の内側および外側に行くに従い徐々に低く形成されている靴底。
【請求項２】
着地時に着用者の足への衝撃を和らげる緩衝底を備えた靴底であって、
前記緩衝底は上面と下面とを有し、
前記緩衝底の上面側には、足指の付け根付近の窪みに沿って横長に形成され前記窪みに入り込んで足裏が足の前後方向に係合する係合部が設けられ、
前記緩衝底の上面側における前記係合部の前方には、足指が足の他の部分よりも下方に沈み込むのを許容する足指受入部が設けられ、
前記緩衝底の下面側には、概ね前記係合部の位置において趾節関節における足指の屈曲に伴う前記緩衝底の屈曲を助ける屈曲補助部が、概ね前記係合部に対応する位置に横長に設けられており、
前記係合部は、足指の付け根付近の窪みに対応する上方に突出した横長の突条部で形成され、
前記足指受入部は足指を載せるための凹所で形成され、該凹所が前記緩衝底の上面側における前記突条部の前方の位置に設けられており、
前記突条部は、足の内外の中央付近において、最も前方に向って凸となる形状の曲線に沿って略「へ」字形状に形成されており、
前記突条部は、前記曲線に沿った稜線を有すると共に、前記稜線に沿って足の内外の中央付近で最も高く、かつ、足の内側および外側に行くに従い徐々に低く形成されている靴底。
【請求項３】
接地面および上面を有する接地底と、前記接地底の上面に設けられると共に着地時に着用者の足への衝撃を和らげる緩衝底とを備えた靴底において、
前記緩衝底は上面と下面とを有し、
前記緩衝底の上面側には、足指の付け根付近の窪みに沿って横長に形成され前記窪みに入り込んで足裏が足の前後方向に係合する係合部が設けられ、
前記緩衝底の上面側における前記係合部の前方には、足指が足の他の部分よりも下方に沈み込むのを許容する足指受入部が設けられ、
前記靴底における前記接地面側には、概ね前記係合部の位置において趾節関節における足指の屈曲に伴う前記緩衝底の屈曲を助ける屈曲補助部が、概ね前記係合部に対応する位置に横長に設けられており、
前記係合部は、足指の付け根付近の窪みに対応する上方に突出した横長の突条部で形成され、
前記足指受入部は足指を載せるための凹所で形成され、該凹所が前記緩衝底の上面側における前記突条部の前方の位置に設けられており、
前記突条部は、足の内外の中央付近において、最も前方に向って凸となる形状の曲線に沿って略「へ」字形状に形成されており、
前記突条部は、前記曲線に沿った稜線を有すると共に、前記稜線に沿って足の内外の中央付近で最も高く、かつ、足の内側および外側に行くに従い徐々に低く形成されている靴底。
【請求項４】
足指の付け根付近の窪みに入り込んで足裏が前後方向に係合する係合部を緩衝底の上面側に足指の前記窪みに沿うように形成し、
足指が他の部分よりも下方に沈み込むのを許容する足指受入部を、前記緩衝底の上面における前記係合部の前方に形成し、
趾節関節における足指の屈曲に伴い前記緩衝底が屈曲し易いようにする屈曲補助部を前記係合部の裏側に設けた靴底であって、
足の横方向の中央部においては、足指が前記趾節関節において屈曲し易いように、前記屈曲補助部が前記係合部よりも若干前方の位置に設定されている靴底。
【請求項５】
着地時に着用者の足への衝撃を和らげる緩衝底を備えた靴底であって、
前記緩衝底は上面と下面とを有し、
前記緩衝底の上面側には、足指の付け根付近の窪みに沿って横長に形成され前記窪みに入り込んで足裏が足の前後方向に係合する係合部が設けられ、
前記緩衝底の上面側における前記係合部の前方には、足指が足の他の部分よりも下方に沈み込むのを許容する足指受入部が設けられ、
前記緩衝底の下面側には、趾節関節における足指の屈曲に伴う前記緩衝底の屈曲を助ける屈曲補助部が横長に設けられており、
足の横方向の中央部においては、足指が前記趾節関節において屈曲し易いように、前記屈曲補助部が前記係合部よりも若干前方の位置に設定されている靴底。
【請求項６】
接地面および上面を有する接地底と、前記接地底の上面に設けられると共に着地時に着用者の足への衝撃を和らげる緩衝底とを備えた靴底において、
前記緩衝底は上面と下面とを有し、
前記緩衝底の上面側には、足指の付け根付近の窪みに沿って横長に形成され前記窪みに入り込んで足裏が足の前後方向に係合する係合部が設けられ、
前記緩衝底の上面側における前記係合部の前方には、足指が足の他の部分よりも下方に沈み込むのを許容する足指受入部が設けられ、
前記靴底における前記接地面側には、趾節関節における足指の屈曲に伴う前記緩衝底の屈曲を助ける屈曲補助部が横長に設けられており、
足の横方向の中央部においては、足指が前記趾節関節において屈曲し易いように、前記屈曲補助部が前記係合部よりも若干前方の位置に設定されている靴底。
【請求項７】
請求項４ないし６のいずれか１項において、
前記係合部は、足指の付け根付近の窪みに対応する上方に突出した横長の突条部で形成され、
前記緩衝底の下面側には縦断面略Ｖ字状ないしＵ字状の切欠溝が前記突条部に沿って足の内側から外側に渡って形成され、前記切欠溝が前記屈曲補助部を構成しており、
前記切欠溝は溝の最深部を連ねた谷線を有しており、足の横方向の中央部においては前記谷線が前記突条部の稜線よりも若干前方の位置に設定されている靴底。
【請求項８】
請求項６において、
前記係合部は、足指の付け根付近の窪みに対応する上方に突出した横長の突条部で形成され、
前記接地底は前記突条部に対応する位置において前後方向に離間して分割され、この離間した部分で分割溝を形成しており、前記分割溝が前記屈曲補助部の少なくとも一部を構成しており、
前記分割溝は溝の中心線を有しており、足の横方向の中央部においては前記中心線が前記突条部の稜線よりも若干前方の位置に設定されている靴底。
【請求項９】
請求項４ないし６のいずれか１項において、
前記係合部は、足指の付け根付近の窪みに対応する上方に突出した横長の突条部で形成され、
前記足指受入部は足指を載せるための凹所で形成され、該凹所が前記緩衝底の上面側における前記突条部の前方の位置に設けられており、
前記突条部は、足の内外の中央付近において、最も前方に向って凸となる形状の曲線に沿って略「へ」字形状に形成されており、
前記突条部は、前記曲線に沿った稜線を有すると共に、前記稜線に沿って足の内外の中央付近で最も高く、かつ、足の内側および外側に行くに従い徐々に低く形成されている靴底。
【請求項１０】
請求項７もしくは８において、
前記足指受入部は足指を載せるための凹所で形成され、該凹所が前記緩衝底の上面側における前記突条部の前方の位置に設けられており、
前記突条部は、足の内外の中央付近において、最も前方に向って凸となる形状の曲線に沿って略「へ」字形状に形成されており、
前記突条部は、前記曲線に沿った稜線を有すると共に、前記稜線に沿って足の内外の中央付近で最も高く、かつ、足の内側および外側に行くに従い徐々に低く形成されている靴底。
【発明の詳細な説明】
【０００１】
【発明の背景】
発明の分野：
本発明は靴底に関するものである。
従来の技術の説明：
人の足は、本来、路面等をキャッチできるようになっており、素足の状態で最も効率良く走行・歩行できるように形成されている。一方、路面のコンディションから受ける障害から足を守ために履物が存在する。しかし、通常の履物である靴は、足指（正式には「足趾」というが、読み易くするために本明細書では「足指」という表現を用いる）等の動きを妨げ、そのため、靴底を介して足で路面をキャッチするのが難しい。
【０００２】
図１０（ａ），図１０（ｂ）および図１０（ｃ）は、走行・歩行時の足指の動きを、地面を断面した状態で示す側面図である。
素足で効率良く走行・歩行するためには、図１０（ａ）に示すように、まず踵Ｃで着地し、次に、前方Ａ１への体重移動を経て、図１０（ｂ）に示すような接地期の最終段階を迎える。この瞬間に、足は地面５０をしっかりと掴み、その直後に図１０（ｃ）のように、足指を底屈させて掴んだ地面５０を後方へ強く蹴って踏み出し、更にその直後に、二点鎖線で示すように、足指Ｆを前方に引き戻す（ターンオーバー）動作を行うことにより、効率の良い推進力が生まれる。
【０００３】
図１１（ａ）は公知の履物底を示す模式的な断面図である。この図において、履物底１００には、足指Ｆが嵌まる凹所１０１を設けてある。この従来の構造では、足により履物底１００を掴むことはできても、履物底１００が比較的硬いため、履物底１００により路面を掴むことはできない。
【０００４】
図１１（ｂ）は他の公知の履物底を示す断面図である。この図において、履物底１００には、足指Ｆの付け根付近の窪みＦｃに入り込む凸部１０２が設けられている。この従来の構造では、足が履物底１００に対し前方にスリップするのを防止し得るが、足指Ｆで履物底を掴むことはできない。また、この従来の構造では、履物底１００が比較的固い材質で形成されていたので、足の個体差により凸部１０２からの突き上げ感を生じ、リスフラン関節Ｊ１やショパール関節Ｊ２などの部分に負荷がかかり易い傾向にある。
【０００５】
図１２（ａ）は特開平１１−１２３１０２号に開示された靴底の平面図、図１２（ｂ）は図１２（ａ）の  ＸＩＩｂ−  ＸＩＩｂ線断面図である。
図１２（ｂ）において、本底１０３上には中底１０４および中敷１０５が積層されている。中底１０４には、母趾球に対応する位置に、丸い貫通孔１０６（図１２（ａ）参照）が設けられていると共に、つま先部分１０７が切欠されている。この先行技術では、足裏が中底１０４の形状に十分フィットしていないので、路面をキャッチすることはできない。
【０００６】
【発明の概要】
したがって、本発明の目的は、足指を動き易くして、靴底で路面等をキャッチし易くした靴底を提供することである。
前述のような考察から、効率の良い走行・歩行を行うには、靴底に以下のような機能が必要であると考えられる。
（１）足指が拘束されず、足指を自由に使える。
（２）靴底を介して足指で地面をしっかりと掴むことができる。
（３）足指を底屈させて掴んだ地面を力強く、かつ、素早く後方へ蹴ることができる。
【０００７】
【課題を解決するための手段】
前記目的を達成するために、本発明の１つの態様では、靴底に、係合部、足指受入部および屈曲補助部が設けられている。
前記係合部は、緩衝底の上面側に足指の前記窪みに沿うように形成され、足指の付け根付近の窪みに入り込んで足裏が前後方向に係合する。
前記足指受入部は、前記緩衝底の上面における前記係合部の前方に設けられ、足指が他の部分よりも下方に沈み込むのを許容する。
前記屈曲補助部は、前記係合部の裏側に設けられ、趾節関節における足指の屈曲に伴い、つまり、足指の底屈に伴い、前記係合部またはその近傍において前記緩衝底が屈曲し易いようにする。
【０００８】
本発明の他の態様では、着地時に着用者の足への衝撃を和らげる緩衝底を備えた靴底に、係合部、足指受入部および屈曲補助部が設けられている。
前記係合部は前記緩衝底の上面側に設けられ、足指の付け根付近の窪みに沿って横長に形成され前記窪みに入り込んで足裏が足の前後方向に係合する。
前記足指受入部は前記緩衝底の上面側における前記係合部の前方に設けられ、足指が足の他の部分よりも下方に沈み込むのを許容する。
前記屈曲補助部は前記緩衝底の下面側の概ね前記係合部に対応する位置に横長に設けられ、概ね前記係合部の位置において趾節関節における足指の屈曲に伴って前記緩衝底が屈曲するのを助ける。
【０００９】
本発明の更に他の態様では、靴底に、係合部、足指受入部および屈曲補助部が設けられている。靴底は、接地面および上面を有する接地底と、前記接地底の上面に設けられると共に着地時に着用者の足への衝撃を和らげる緩衝底とを備えている。
前記係合部は前記緩衝底の上面側に設けられ、足指の付け根付近の窪みに沿って横長に形成され前記窪みに入り込んで足裏が足の前後方向に係合する。
前記足指受入部は、前記緩衝底の上面側における前記係合部の前方に設けられ、足指が足の他の部分よりも下方に沈み込むのを許容する。
前記屈曲補助部は、前記靴底における前記接地面側の概ね前記係合部に対応する位置に横長に設けられ、概ね前記係合部の位置において趾節関節における足指の屈曲に伴って前記緩衝底が屈曲するのを助ける。
【００１０】
本発明において「足指の屈曲」とは、足が母趾球の位置で背屈することではなく、足指が趾節関節において底屈することを意味する。
本発明において、運動靴の場合には、一般に緩衝底がミッドソールで構成され、一方、接地底がアウターソールで構成される。しかし、本発明においては、緩衝底を耐摩耗性のある発泡ゴムなどの材料で形成して、緩衝底自体で靴底を構成してもよい。
【００１１】
【発明の効果】
本発明によれば、靴底の前足部に係合部、屈曲補助部および足指受入部の３つの要素を設けたので、足指が拘束されず足指を自由に使え、靴底を介して足指で地面をしっかりと掴むことができると共に、掴んだ地面を力強く、かつ、素早く後方へ蹴ることができる。
より詳しく説明すると、前記係合部および足指受入部を設けたことに加え、前記屈曲補助部を設けたことにより、足指が屈曲する際に、緩衝底に曲げ応力の集中が生じ、そのため、前記緩衝底が足指の趾節関節に対応する位置において著しくスムースに屈曲する。これにより、足指で掴んだ地面を力強く、かつ、素早く後方へ蹴り出すことができるという効果が著しく増大する。
【００１２】
本発明においては、前記係合部を前方に向って凸となる形状の曲線に沿った、つまり、略「へ」字状の突条部で形成すると共に、該突条部が足の内外の中央付近で最も高く、かつ、足の内側および外側に行くに従い徐々に低くなるように形成するのが好ましい。このようにすれば、足指の付け根付近の窪みに緩衝底がフィットするので、より一層地面をしっかりと掴むことができる。
【００１３】
また、本発明においては、突条部の裏面に沿って、０．１ｍｍ  〜１．０ｍｍ  程度の薄い反発部材を設ける。反発部材を設ければ、地面を力強く後方に蹴った足指を素早く元の状態に引き戻すことができるから、つまり、いわゆるターンオーバーを助けるから、前方への推進力が大きくなる。
【００１４】
なお、接地底を少なくとも足の親指と第２趾との間に対応する部分において左右に分割すれば、足の親指を他の部分に対し、独立して動かすことができるので、足指による路面のキャッチが更に容易になる。
【００１５】
【実施例の説明】
第１実施例
以下、本発明の第１実施例を図１（ａ）〜図１（ｃ）を用いて説明する。
緩衝底１は上面１８および下面１９を有する。緩衝底１の上面１８側には、足指Ｆの付け根付近の窪みＦｃに対応する横長の突条部１０が形成されている。緩衝底１の下面１９側には、前記突条部１０またはその近傍において、図１（ｂ）のような趾節関節Ｊ３における足指Ｆの屈曲（底屈）に伴う前記緩衝底１の屈曲を助ける屈曲補助部１２を前記突条部１０の裏側に設けてある。前記突条部１０の前方Ａ１には、足指Ｆを載せる凹所（足指受入部）１３を緩衝底１に形成している。
【００１６】
本第１実施例によれば、足指Ｆを載せる凹所１３を形成しているので、足指Ｆを靴内で動かし易くなると共に、当該凹所１３の部分においては緩衝底１が薄肉になるため、靴底で地面を掴み易くなる。また、横長の突条部１０を設けたので、足が靴内で前方にスリップするのを防止でき、突条部１０が足指Ｆの動作時の支えとなるから、足指Ｆで緩衝底１をしっかりと掴むことができる。
なお、突条部１０は柔らかい緩衝底１に形成されているので、足に突き上げ感が生じるおそれがない。
しかも、屈曲補助部１２を設けていることにより、突条部１０において足指Ｆが、図１（ｂ）のように容易に底屈する（曲がる）から、靴底を介して足指Ｆで地面をしっかりと掴むことができると共に、掴んだ地面を力強く、かつ、素早く後方に蹴ることができる。
【００１７】
前記構成において、前記突条部１０は、足指Ｆの前記窪みＦｃに沿って形成され、足指Ｆの前記窪みＦｃに入り込んで足裏が前後方向に係合すればよい。この場合、前記突条部１０は、必ずしも外観において突出している必要はない。たとえば、図２（ａ）のように、前記突条部１０の前方Ａ１および後方Ａ２を緩衝底１よりも極めて柔らかい材質の樹脂スポンジで埋めて、突条部１０に対応する位置に係合部１０Ａを設けてもよい。この場合、係合部１０Ａの前方には、足指Ｆが他の部分よりも下方に沈み込むのを許容する足指受入部１３Ａが緩衝底１の上面に形成されたことになる。
【００１８】
また、屈曲補助部１２は、一般に、縦断面略Ｖ字状ないしＵ字状の溝で形成することができるが、図２（ａ）に示すように、この溝に相当する部分を極めて柔らかい材質の樹脂スポンジで埋めてもよい。
【００１９】
本発明においては、図２（ｂ）に示すように、前記突条部１０の裏面に沿って緩衝底１の本体部分よりも復元力（元の形状に復帰しようとする力）の大きい（バネ性の高い）高反発部材１４を設けるのが好ましい。
この高反発部材１４は、緩衝底１を元の形状に復帰させるバネ性を有するものであり、そのため、地面を力強く後方に蹴った足指Ｆを素早く引き戻す（ターンオーバー）動作を助けるので、前方への推進力が大きくなる。
【００２０】
第２実施例
以下、本発明の第２実施例を図３〜図６（ｂ）にしたがって説明する。
図４（ｂ）に示すように、ミッドソールのような緩衝底１の下面１９には、アウターソールのような接地底２の上面２８が固着されて靴底が構成されている。前記緩衝底１は、着地時に着用者の足への衝撃を和らげ、一方、前記接地底２は路面をキャッチする接地面２９を有する。なお、一般に、緩衝底１の上面１８には、図示しない中底を介して、図３の中敷３が載せられる。
【００２１】
図３において、緩衝底１の上面側には横長の突条部１０が形成されている。この突条部１０は、図６（ａ）に示す足指Ｆの付け根付近の窪みＦｃに対応する位置に設けられていると共に前記窪みＦｃに対応する形状となっている。すなわち、図３のように、突条部１０は足の内外の中央付近で最も前方に向って凸となる略「へ」字状の稜線１０ａを形成している。この突条部１０は、図６（ｂ）および図３に明示するように、足の内外の中央付近で最も高く、かつ、足の内側３１および足の外側３０に行くに従い徐々に低く形成されている。図３の前記緩衝底１の上面１８は、前記突条部１０から前方Ａ１または後方Ａ２に遠ざかるに従いなだらかに低くなっている。
なお、図６（ｂ）に示すように、緩衝底１の両端などの周縁には巻上部１０ｂが形成されている。図６（ａ）においては、足指Ｆの付け根付近の窪みＦｃに、二点鎖線でハッチングを施している。
【００２２】
図４（ａ）および図４（ｂ）に示すように、前記緩衝底１の裏面側には、縦断面略Ｖ字状ないしＵ字状の切欠溝１２ａが、前記突条部１０の稜線１０ａの若干前方Ａ１に、該稜線１０ａに沿って足の内側３１から外側３０に渡って形成されている。一方、該切欠溝１２ａの前後において、つまり、稜線１０ａに対応する位置において、接地底２が前後に離れた状態で分割されており、この離間した部分により分割溝１２ｂが形成されている。
【００２３】
足の横方向の中央部においては、つまり、図６（ａ）の第２趾Ｆ２から第３趾Ｆ３までにおいては、これらの切欠溝１２ａおよび分割溝１２ｂは、図４（ａ）の切欠溝１２ａの最深部を連ねた谷線１２ｃが、前記稜線１０ａの若干前方Ａ１に設定されており、屈曲補助部１２を形成している。前記谷線１２ｃは、前記分割溝１２ｂの前後方向の中心を連ねた中心線と略一致した位置に設けてある。前記中心線および谷線１２ｃは、前記稜線１０ａに近似した形状の曲線で形成されており、足の内外の中央付近で最も前方に向って凸となる略「へ」字状に形成されている。前記屈曲補助部１２は、突条部１０の稜線１０ａの若干前方Ａ１において緩衝底１が屈曲し易いようにするためのものである。
【００２４】
ここで、より詳しく説明すると、図１（ａ）および図１（ｂ）に示すように、足指Ｆは前記窪みＦｃよりも前方Ａ１の趾節関節Ｊ３において大きく底屈（屈曲）する。そのため、前述のように、屈曲補助部１２を突条部１０よりも前方Ａ１の位置に設けておくことで、足指Ｆの屈曲をスムースに行うことができる。
なお、図１１（ｂ）の中足趾節関節Ｊ４における足の背屈（屈曲）を助ける溝は周知であるが、本屈曲補助部１２は、前記中足趾節関節Ｊ４よりも前方の趾節関節Ｊ３における足指の底屈（屈曲）を補助する点において、前記周知の溝とは異なる。
【００２５】
なお、図４（ａ）の切欠溝１２ａに明瞭な最深部が存在しない場合には、図４（ａ）の切欠溝１２ａの前後方向の中心を連ねた中心線を谷線１２ｃと解さなければならない。また、切欠溝１２ａの深さは、最深部において２，３ｍｍ以上に設定するのが好ましい。
【００２６】
図３に明示するように、前記緩衝底１における突条部１０の前方Ａ１には、５本の足指を載せる凹所１３が形成されている。この凹所１３は、足指が足の他の部分よりも下方に沈み込むのを許容するので、足指を自由に使えると共に足指で地面をしっかりと掴むことができる。
なお、中敷３は柔らかいＥＶＡおよび不織布で形成されており、着用時に凹所１３の形状になじんで、徐々に永久変形を呈する。
【００２７】
図４（ａ）および図４（ｂ）に示すように、前記緩衝底１における突条部１０の下面側１９には、前記切欠溝１２ａを横切るように高反発部材１４が埋設されている。この高反発部材１４は、シート状ないし薄板状に薄く形成されており、前記緩衝底１の本体部分よりもバネ性の大きい材料で形成されている。たとえば、前記緩衝底１の本体部分はＥＶＡのような樹脂スポンジで構成されており、一方、高反発部材１４はＥＶＡ，ＰＵ，ハイトレル（登録商標）などのような非発泡性の軟質の樹脂で形成する。
なお、高反発部材１４は、図４（ａ）において破線でハッチングを施してその平面形状を示しており、また、図４（ｂ）においては太い実線で断面形状を示している。前記接地底２は、一般にゴムの発泡体や非発泡体などで形成される。
【００２８】
前記高反発部材１４は、一枚のシート状ないし板状物の中に複数の貫通孔１４ａを有していることで、前記切欠溝１２ａの部分において足の左右方向に複数に分割されている。このように、複数に分割することで、前方Ａ１への反発性を維持しながら、左右方向などの他の方向に曲がり易くしている。
【００２９】
第３実施例
図７（ａ）〜図９は第３実施例を示す。
図８に示すように、緩衝底１の下面側には、屈曲補助部１２ａよりも前方の部分に各足指Ｆ１，Ｆ２，Ｆ３，Ｆ４，Ｆ５（図６（ａ））の間に対応する位置に、第１，第２，第３および第４の指間溝５１，５２，５３，５４が形成されている。前記第１指間溝５１は、足の親指（第１趾）Ｆ１と第２趾Ｆ２との間に対応する位置に形成されている。前記第４指間溝５４は足の小指（第５趾）Ｆ５と第４趾Ｆ４との間に対応する位置に形成されている。
【００３０】
図７（ａ）および図７（ｂ）に明示するように、接地底２は前記突条部１０に対応する位置において前後方向Ａ１，Ａ２に離間して分割され、この離間した部分で分割溝１２ｂを形成している。前記前後方向に分割された接地底２のうち、前記屈曲補助部１２よりも前方の前接地底２は、図９に示すように、５本の足指Ｆ１〜Ｆ５（図６（ａ））に対応した５つの足趾部２１，２２，２３，２４，２５を有している。前記前接地底２には、各足指Ｆ１，Ｆ２，Ｆ３，Ｆ４，Ｆ５の間に対応する部分において左右に離間して第１ないし第４指分割溝６１，６２，６３，６４が形成されている。前記第１指分割溝６１は足の親指Ｆ１と第２趾Ｆ２との間に対応する部分に形成されている。第４指分割溝６４は足の小指Ｆ５と第４趾Ｆ４との間に対応する部分に形成されている。
【００３１】
このように、指間溝５１〜５４および指分割溝６１〜６４を設けていることにより、図６（ａ）の各指Ｆ１〜Ｆ５が互いに独立して動くことができる。特に、足の親指Ｆ１および足の小指Ｆ５を他の足指とは容易に独立して動かすことができるので、足指による路面のキャッチが更に容易になる。
図８に示すように、高反発部材１４は、前記切欠溝１２ａよりも前方Ａ１の部分において、各足指Ｆ１〜Ｆ５ごとに分割されている。なお、高反発部材１４は、図７（ａ）において、破線でハッチングを施してその平面形状を示しており、また、図８（ｂ）においては太い実線で断面形状を示している。
【００３２】
本第３実施例のその他の構成は、前記第２実施例の構成と同様であり、同一部分もしくは相当部分に同一符号を付して、その詳しい説明を省略する。
【００３３】
以上のとおり、図面を参照しながら好適な実施例を説明したが、当業者であれば、本明細書を見て、自明な範囲で種々の変更および修正を容易に想定するであろう。
たとえば、前記実施例では、緩衝底１としてミッドソールを例示したが、ミッドソールを備えていない靴底、すなわち、緩衝底１を耐摩耗性のある発泡ゴムなどの材料で形成した靴底についても本発明を適用し得る。
ところで、前記実施例では、突条部１０を緩衝材で形成したが、予め着用者の足型をとって、この足型に合わせて、突条部１０の上面層のみを軟質の非発泡性の樹脂で被覆してもよい。この場合、突条部１０の形状が経時的に崩れないという利点がある。
【００３４】
また、前記実施例では、緩衝底１および接地底２の双方に溝１２ａ，１２ｂを設けて屈曲補助部１２を形成したが、本発明では、緩衝底１または接地底２の一方にのみ溝を設けて屈曲補助部１２を形成してもよい。
また、前後に分割した接地底２，２を切欠溝１２ａの部分で薄肉にすると共に連続させて、高反発部材１４としてもよい。
また、前記実施例では屈曲補助部１２を前記突条部（係合部）１０の若干前方に設けたが、本発明では、突条部（係合部）１０に対応させて屈曲補助部１２を設ければよい。
したがって、そのような変更および修正は、請求の範囲から定まる本発明の範囲内のものと解釈される。
【図面の簡単な説明】
【図１】図１（ａ），図１（ｂ）は本発明の第１実施例を模式的に示す靴底の断面図、図１（ｃ）は同斜視図である。
【図２】図２（ａ）および図２（ｂ）は、それぞれ、変形例を模式的に示す靴底の断面図である。
【図３】図３は第２実施例を示す中敷および緩衝底の斜視図である。
【図４】図４（ａ）は靴底の底面図、図４（ｂ）は図４（ａ）のＩＶｂ−ＩＶｂ線断面図である。
【図５】図５は緩衝底の平面図である。
【図６】図６（ａ）は足裏の平面図、図６（ｂ）は稜線に沿った緩衝底の横断面図である。
【図７】図７（ａ）は第３実施例を示す靴底の底面図、図７（ｂ）は図７（ａ）のＶＩＩ  ｂ−ＶＩＩ  ｂ線断面図である。
【図８】図８は緩衝底の底面図である。
【図９】図９は前接地底を示す底面図である。
【図１０】図１０（ａ），図１０（ｂ）および図１０（ｃ）は、それぞれ、足の動きを説明するための足の側面図である。
【図１１】図１１（ａ）および図１１（ｂ）は、それぞれ、従来の靴底の一例を示す模式的な断面図である。
【図１２】図１２（ａ）は特開平１１−１２３１０２号に開示された靴底の平面図、図１２（ｂ）は図１２（ａ）の  ＸＩＩｂ−  ＸＩＩｂ線断面図である。
【符号の説明】
１：緩衝底
１０：突条部（係合部）
１０ａ：稜線
１０Ａ：係合部
１２：屈曲補助部
１２ａ：切欠溝
１２ｂ：分割溝
１２ｃ：谷線
１３：凹所（足指受入部）
１３Ａ：足指受入部
３０：足の外側
３１：足の内側
１４：高反発部材（反発部材）
２：接地底
Ａ１：前方
Ｆ：足指
Ｆｃ：窪み
Ｆ１：足の親指（第１趾）
Ｆ２：第２趾
Ｊ３：趾節関節
【図１】
0003635006.tif 000002
【図２】
0003635006.tif 000003
【図３】
0003635006.tif 000004
【図４】
0003635006.tif 000005
【図５】
0003635006.tif 000006
【図６】
0003635006.tif 000007
【図７】
0003635006.tif 000008
【図８】
0003635006.tif 000009
【図９】
0003635006.tif 000010
【図１０】
0003635006.tif 000011
【図１１】
0003635006.tif 000012
【図１２】
0003635006.tif 000013